(57)【要約】【課題】パネルの輸送時における破損を防ぐことができる梱包装置を提供することを目的とする。【解決手段】放電空間が形成されるように対向配置した基板に電極群を配置するとともに前記電極群に接続された端子取出し用のフレキシブル配線板１７を配置したパネル１０と、このパネル１０を個々に梱包するための梱包部材とを有し、前記梱包部材は、前記パネル１０を挟むように重ね合わせることによりパネル１０を保持する板状の第１、第２のトレイ１８、１９と、この第１、第２のトレイ１８、１９の四隅に配置されかつ第１、第２のトレイ１８、１９を着脱自在に結合するとともに前記パネル１０の角部に当接してパネル１０の位置規制を行うコーナー成形品２０とで構成した。【選択図】　図１
2004067159.tif 000002
【特許請求の範囲】
【請求項１】
放電空間が形成されるように対向配置した基板に電極群を配置するとともに前記電極群に接続された端子取出し用のフレキシブル配線板を配置したパネルと、このパネルを個々に梱包するための梱包部材とを有し、前記梱包部材は、前記パネルを挟むように重ね合わせることによりパネルを保持する板状の第１、第２のトレイと、この第１、第２のトレイの四隅に配置されかつ第１、第２のトレイを着脱自在に結合するとともに前記パネルの角部に当接してパネルの位置規制を行うコーナー成形品とで構成したことを特徴とするプラズマディスプレイパネルの梱包装置。
【請求項２】
コーナー成形品の第１のトレイ側または第２のトレイ側のいずれか一方の面に凸部を設けるとともに、他方の面にその凸部が嵌り合う凹部を設け、梱包部材で梱包した個々のパネルをコーナー成形品の凸部と凹部を嵌め合わせることにより重ね合わせ可能とした請求項１に記載のプラズマディスプレイパネルの梱包装置。
【発明の詳細な説明】
【０００１】
【発明の属する技術分野】
本発明は、大画面で、薄型、軽量のディスプレイ装置として知られているプラズマディスプレイ装置において、プラズマディスプレイパネル（以下パネルという）の梱包装置に関するものである。
【０００２】
【従来の技術】
近年、プラズマディスプレイ装置は、視認性に優れた表示パネル（薄型表示デバイス）として注目されており、高精細化及び大画面化が進められている。
【０００３】
このプラズマディスプレイ装置には、大別して、駆動的にはＡＣ型とＤＣ型があり、放電形式では面放電型と対向放電型の２種類があるが、高精細化、大画面化及び製造の簡便性から、現状では、ＡＣ型で面放電型のプラズマディスプレイ装置が主流を占めるようになってきている。
【０００４】
このようなプラズマディスプレイ装置においては、透明な一対のガラス基板を間に放電空間が形成されるように対向配置するとともにガラス基板に電極群を配置したパネルと、このパネルを保持するシャーシ部材と、このシャーシ部材に取り付けられ前記パネルに信号を印加して表示を行う表示駆動回路ブロックとでパネルモジュールを構成し、このパネルモジュールを筐体で覆うことにより完成品としている。
【０００５】
【発明が解決しようとする課題】
このようなプラズマディスプレイ装置は、液晶表示装置やＣＲＴなどの他の表示装置に比べて大画面を実現しやすく、また他の大型の表示装置に比べて鮮明な映像が得られるという特徴を有しており、このため多くの人が集まる場所での情報表示装置として、また家庭で迫力のある映像を楽しむことができる映像機器として脚光を集めている。
【０００６】
一方、このプラズマディスプレイ装置は、大画面を実現しやすいという反面、パネルの主要構成部品であるガラス基板として、大きいガラス基板が必要となり、また複数の放電セルを選択的にプラズマ放電させることにより画像を表示することから、表示駆動時に多くの熱が発生してしまう。このため、プラズマディスプレイ装置においては、他の表示装置では考慮しなくてもよかった事項について、対策を検討することが要求されている。
【０００７】
ところで、近年、この種のプラズマディスプレイ装置においては、パネルの製造に大規模な設備を準備する必要があることから、パネルを生産するメーカーよりパネルモジュールの状態で購入し、そのパネルモジュールにパネルモジュールに搭載されていない他の回路ブロックを組込むと共に、筐体内に入れてプラズマディスプレイ装置の完成品とすることが行われている。しかも、パネル単品ではなく、パネルにアルミニウムなどのシャーシを取付けた状態で輸送しており、シャーシにガラスが固定されているため、輸送等についても強度的にも何ら心配することはなかった。
【０００８】
しかしながら、シャーシがないパネル単品の状態で輸送しようとすると、パネルはガラスで構成されているため、シャーシがない状態では強度的に非常に弱く、またパネルから引き出されたフレキシブル配線板をどのように梱包するかということが大きな課題であった。
【０００９】
本発明はこのような課題に鑑みなされたもので、パネルの輸送時における破損を防ぐことができる梱包装置を提供することを目的とする。
【００１０】
【課題を解決するための手段】
上記課題を解決するために本発明は、梱包部材は、パネルを挟むように重ね合わせることによりパネルを保持する板状の第１、第２のトレイと、この第１、第２のトレイの四隅に配置されかつ第１、第２のトレイを着脱自在に結合するとともに前記パネルの角部に当接してパネルの位置規制を行うコーナー成形品とで構成したものである。
【００１１】
【発明の実施の形態】
すなわち、本発明の請求項１記載の発明は、放電空間が形成されるように対向配置した基板に電極群を配置するとともに前記電極群に接続された端子取出し用のフレキシブル配線板を配置したパネルと、このパネルを個々に梱包するための梱包部材とを有し、前記梱包部材は、前記パネルを挟むように重ね合わせることによりパネルを保持する板状の第１、第２のトレイと、この第１、第２のトレイの四隅に配置されかつ第１、第２のトレイを着脱自在に結合するとともに前記パネルの角部に当接してパネルの位置規制を行うコーナー成形品とで構成したことを特徴とするものである。
【００１２】
また、請求項２に記載の発明は、請求項１において、コーナー成形品の第１のトレイ側または第２のトレイ側のいずれか一方の面に凸部を設けるとともに、他方の面にその凸部が嵌り合う凹部を設け、梱包部材で梱包した個々のパネルをコーナー成形品の凸部と凹部を嵌め合わせることにより重ね合わせ可能としたものである。
【００１３】
以下、本発明の一実施の形態について、図１〜図７を用いて説明するが、本発明はこれに限定されるものではない。
【００１４】
まず、プラズマディスプレイ装置について、図５〜図７を用いて説明する。図５にプラズマディスプレイ装置におけるパネルの構造を示している。図５に示すように、ガラス基板などの透明な前面側の基板１上には、スキャン電極とサステイン電極とで対をなすストライプ状の表示電極２が複数列形成され、そしてその電極群を覆うように誘電体層３が形成され、その誘電体層３上には保護膜４が形成されている。
【００１５】
また、前記前面側の基板１に対向配置される背面側の基板５上には、スキャン電極及びサステイン電極の表示電極２と交差するように、オーバーコート層６で覆われた複数列のストライプ状のアドレス電極７が形成されている。このアドレス電極７間のオーバーコート層６上には、アドレス電極７と平行に複数の隔壁８が配置され、この隔壁８間の側面及びオーバーコート層６の表面に蛍光体層９が設けられている。
【００１６】
これらの基板１と基板５とは、スキャン電極及びサステイン電極の表示電極２とアドレス電極７とがほぼ直交するように、微小な放電空間を挟んで対向配置されるとともに、周囲が封止され、そして前記放電空間には、ヘリウム、ネオン、アルゴン、キセノンのうちの一種または混合ガスが放電ガスとして封入されている。また、放電空間は、隔壁８によって複数の区画に仕切ることにより、表示電極２とアドレス電極７との交点が位置する複数の放電セルが設けられ、その各放電セルには、赤色、緑色及び青色となるように蛍光体層９が一色ずつ順次配置されている。
【００１７】
図６にこのプラズマディスプレイパネルの電極配列を示している。図６に示すようにスキャン電極及びサステイン電極とアドレス電極とは、Ｍ行×Ｎ列のマトリックス構成であり、行方向にはＭ行のスキャン電極ＳＣＮ１〜ＳＣＮＭ及びサステイン電極ＳＵＳ１〜ＳＵＳＭが配列され、列方向にはＮ列のアドレス電極Ｄ１〜ＤＮが配列されている。
【００１８】
このような電極構成のプラズマディスプレイパネルにおいては、アドレス電極とスキャン電極の間に書き込みパルスを印加することにより、アドレス電極とスキャン電極の間でアドレス放電を行い、放電セルを選択した後、スキャン電極とサステイン電極との間に、交互に反転する周期的な維持パルスを印加することにより、スキャン電極とサステイン電極との間で維持放電を行い、所定の表示を行うものである。
【００１９】
図７に上記で説明した構造のパネルを組み込んだプラズマディスプレイ装置の全体構成の一例を示している。図において、パネル１０を収容する筐体は、前面枠１１と金属製のバックカバー１２とから構成され、前面枠１１の開口部には光学フィルター及びパネル１０の保護を兼ねたガラス等からなる前面カバー１３が配置されている。また、この前面カバー１３には電磁波の不要輻射を抑制するために、例えば銀蒸着が施されている。さらに、バックカバー１２には、パネル１０等で発生した熱を外部に放出するための複数の通気孔１２ａが設けられている。
【００２０】
前記パネル１０は、アルミニウム等からなるシャーシ部材１４の前面に熱伝導シート１５を介して接着することにより保持され、そしてシャーシ部材１４の後面側には、パネル１０を表示駆動させるための複数の回路ブロック１６が取り付けられている。前記熱伝導シート１５は、パネル１０で発生した熱をシャーシ部材１４に効率よく伝え、放熱を行うためのものである。また、回路ブロック１６はパネル１０の表示駆動とその制御を行うための電気回路を備えており、パネル１０の縁部に引き出された電極引出部に、シャーシ部材１４の四辺の縁部を越えて延びる複数のフレキシブル配線板（図示せず）によって電気的に接続されている。
【００２１】
また、シャーシ部材１４の後面には、回路ブロック１６を取り付けたり、バックカバー１２を固定するためのボス部１４ａがダイカスト等による一体成型により突設されている。なお、このシャーシ部材１４は、アルミニウム平板に固定ピンを固定して構成してもよい。
【００２２】
本発明はこのようなプラズマディスプレイ装置において、パネルの状態で輸送する場合に、この輸送時における衝撃よりパネルが破損するのを防ぐものであり、以下その実施の形態について図１〜図４を用いて詳しく説明する。
【００２３】
図１に本発明の一実施の形態によるパネルの梱包装置において、パネルを梱包している状況を示し、図１において、パネル１０は、上述したように放電空間が形成されるように対向配置した基板に電極群を配置するとともに、前記電極群に接続された端子取出し用のフレキシブル配線板１７を上下左右の４辺に配置したものである。
【００２４】
１８、１９はパネル１０を挟むように重ね合わせることによりパネルを保持する段ボールなどからなる板状の第１、第２のトレイであり、第１のトレイ１８の外周部には、第２のトレイ１９を重ね合わせたときに前記パネル１０のフレキシブル配線板１７を収容するギャップが形成されるように段部１８ａが設けられている。
【００２５】
２０はこの第１、第２のトレイ１８、１９の四隅に配置されるコーナー成形品であり、このコーナー成形品２０は、図４（ａ）、（ｂ）に示すように、第１のトレイ１８の角部を受ける平板部２０ａと、この平板部２０ａの端部に設けたＬ字形状の立壁２０ｂと、平板部２０ａに設けられかつ前記第１、第２のトレイ１８、１９に設けた孔２１に挿入するとともにその孔２１を通してビス２２を螺合することにより第１、第２のトレイを着脱自在に結合するためのボス２０ｃと、前記パネル１０の角部に当接してパネル１０の位置規制を行うリブ２０ｄを有している。
【００２６】
図２、図３に梱包後の様子を示しており、図２、図３に示すように、フレキシブル配線板１７を有するパネル１０を第１のトレイ１８上に配置し、その上から第２のトレイ１９を重ね合わせた後、コーナー成形品２０のリブ２０ｄにパネル１０の角部を当接させて位置規制するとともに、第１、第２のトレイ１８、１９の孔２１にボス２０ｃが挿入されるように、第１、第２のトレイ１８、１９の四隅にコーナー成形品２０を配置し、第１、第２のトレイ１８、１９の孔２１を通してビス２２をコーナー成形品２０のボス２０ｃに螺合させることにより、第１、第２のトレイ１８、１９がパネル１０を挟みこんだ状態でコーナー成形品２０により結合される。したがって、シャーシがないパネル単品の状態であっても、充分な強度でパネルを梱包することができ、輸送時におけるパネルの破損を防ぐことができる。
【００２７】
また、コーナー成形品２０の立壁２０ｂの第２のトレイ１９側の面には、凸部２０ｅが設けられ、他方の第１のトレイ１８側の面にその凸部２０ｅに嵌り合う凹部２０ｆが設けられており、これにより梱包部材で梱包した個々のパネルをコーナー成形品２０の凸部２０ｅと凹部２０ｆを嵌め合わせることにより重ね合わせが可能で、しかも重ね合わせた際に個々のパネルのずれを防止して積層することができる。なお、凸部２０ｅと凹部２０ｆは、第１のトレイ１８側に凸部２０ｅを形成し、第２のトレイ１９側に凹部２０ｆを形成してもよい。
【００２８】
【発明の効果】
以上のように本発明によれば、四隅に配置されるコーナー成形品により結合される第１のトレイと第２のトレイとでパネルを挟むようにして保持するものであり、シャーシがないパネル単品の状態であっても、充分な強度でパネルを梱包することができ、輸送時におけるパネルの破損を防ぐことができるという効果を得ることができる。
【図面の簡単な説明】
【図１】本発明の一実施の形態によるプラズマディスプレイパネルの梱包装置を示す分解斜視図
【図２】同梱包装置により梱包した様子を示す斜視図
【図３】同じく梱包した様子を別の方向から見た斜視図
【図４】（ａ）、（ｂ）は同梱包装置のコーナー成形品を表面及び裏面から見た斜視図
【図５】プラズマディスプレイ装置のパネル構造を示す斜視図
【図６】同パネルの電極配線を示す配線図
【図７】プラズマディスプレイ装置の全体構成を示す分解斜視図
【符号の説明】
１０　パネル
１７　フレキシブル配線板
１８　第１のトレイ
１９　第２のトレイ
２０　コーナー成形品
【図１】
2004067159.tif 000003
【図２】
2004067159.tif 000004
【図３】
2004067159.tif 000005
【図４】
2004067159.tif 000006
【図５】
2004067159.tif 000007
【図６】
2004067159.tif 000008
【図７】
2004067159.tif 000009